(57)【特許請求の範囲】
【請求項１】
ケースと、該ケース内に回動可能に支承され、第１の塗膜を備える第1テープを供給する第1供給リールと、前記ケース内に回動可能に支承され、前記第1テープを巻き取る第1巻取りリールと、長手方向先端が前記ケースから突出された状態で前記ケース内に取付けられた第1転写ヘッドとからなる第1テープ供給機構と、前記ケース内に回動可能に支承され、第２の塗膜を備える第２テープを供給する第２供給リールと、前記ケース内に回動可能に支承され、前記第2テープを巻き取る第２巻取りリールと、前記ケース内に取付けられた第２転写ヘッドとからなる第２テープ供給機構とを備え、前記第1の塗膜と第2の塗膜とはそれぞれ、着色剤として機能するｐＨ指示薬と消色剤として機能するｐＨ調整剤のいずれか一方を含有する糊及び他方を含有する糊であり、前記第2転写ヘッドの少なくとも先端部が前記第1転写ヘッドに対して、前記第1テープが前記第1供給リールから前記第1転写ヘッドへと移動する側の所定の位置で近接するように配置されて、該所定の位置において前記第1と第2のテープとが互いに接触し、前記第2の塗膜は前記第1の塗膜に比して、そのテープの基材から剥がれ易くなっていて、前記第１と第２の塗膜が接触したときに前記第２の塗膜が前記第１の塗膜上へ移乗されて互いに重ねられ、重ねられた状態で前記第１転写ヘッドにより転写されることにより互いに混じり合った後、時間の経過に従って前記着色剤による色が消えることを特徴とする、塗膜転写具。
【請求項２】
ケースと、該ケース内に回動可能に支承され、第１の塗膜を備える第1テープを供給する第1供給リールと、前記ケース内に回動可能に支承され、前記第1テープを巻き取る第1巻取りリールと、長手方向先端が前記ケースから突出された状態で前記ケース内に取付けられた第1転写ヘッドとからなる第1テープ供給機構と、前記ケース内に回動可能に支承され、第２の塗膜を備える第２テープを供給する第２供給リールと、前記ケース内に回動可能に支承され、前記第2テープを巻き取る第２巻取りリールと、前記ケース内に取付けられた第２転写ヘッドとからなる第２テープ供給機構とを備え、前記第1の塗膜と第2の塗膜とはそれぞれ、互いに混じり合うことにより発色したのち、空気に接触することにより消色するアルカリ性溶液とｐＨ指示薬のいずれか一方を含有する糊及び他方を含有する糊であり、前記第2転写ヘッドの少なくとも先端部が前記第1転写ヘッドに対して、前記第1テープが前記第1供給リールから前記第1転写ヘッドへと移動する側の所定の位置で近接するように配置されて、該所定の位置において前記第1と第2のテープとが互いに接触し、前記第2の塗膜は前記第1の塗膜に比して、そのテープの基材から剥がれ易くなっていて、前記第１と第２の塗膜が接触したときに前記第２の塗膜が前記第１の塗膜上へ移乗されて互いに重ねられ、重ねられた状態で前記第１転写ヘッドにより転写されることにより互いに混じり合って発色し、その後、時間の経過に従って消色することを特徴とする、塗膜転写具。
【請求項３】
請求項１又は２に記載の塗膜転写具において、前記第1と第2の供給リールは個別に回転し、前記第1巻取りリールは前記第1供給リールに、前記第2巻取りリールは前記第2供給リールにそれぞれ連動して回転するように構成されていることを特徴とする、塗膜転写具。
【請求項４】
請求項1又は２に記載の塗膜転写具において、前記第1供給リールと第2供給リールとは一体的に回転することを特徴とする、塗膜転写具。
【請求項５】
請求項４記載の塗膜転写具において、前記第1と第2の巻き取りリールとは一体的に回転することを特徴とする、塗膜転写具。
【発明の詳細な説明】
【技術分野】
【０００１】
本発明は塗膜転写具に関する。さらに詳細に言えば、２つのテープを使用し、一方のテープ上の塗膜を他方のテープ上に移して２層に形成した後に転写する塗膜転写具に関する。
【背景技術】
【０００２】
従来から修正用の塗膜或いは糊などの塗膜を有するテープを備えた塗膜転写具が使用されている。この塗膜転写具ではテープを供給する側の供給リールと、テープを巻き取る側の巻取りリールとを備え、転写ヘッドを紙面などに押付けて転写具を移動させ、これによりテープを供給リールから引き出して供給リール、巻取りリールを回転させ、連続的に塗膜を転写する。
【０００３】
ところで塗膜が例えば糊の場合、その塗膜が無色透明性であり、転写された箇所の確認がし難い。そのため、どこに転写されたのかが判るように塗膜に着色材を混入し、被塗膜部分を見やすくすることが考えられるが、紙等を貼り付ける際そのまま塗膜の色が残っていると貼り付け個所で透けて見えてしまい体裁が悪い。
【０００４】
そこで本願出願人は特開２００３−２９２９３２号において、塗膜内にｐＨ指示薬を内包するマイクロカプセルを含有する、または、アルカリ性溶液を内包するマイクロカプセルとｐＨ指示薬を含有し、塗膜の塗布の際に塗布する圧力によりマイクロカプセルを破壊し、内容物を飛び出させ、空気と接触することによって漸次消色させる、または、ｐＨ指示薬とアルカリ性溶液が触れて発色した後に、空気と接触することにより漸次消色させる方法を提案した。
【０００５】
しかしながら上記の方法は、前記マイクロカプセルがきわめて微小なものでなければならないため、生産にはきわめて高度な技術が必要となる。また塗膜の塗布時においては前記マイクロカプセルが容易に破壊されなければならないが、一方で製造過程においては塗剤をテープ基材に貼り付ける際、またテープを巻きつける際の圧力により破壊されてはいけないという相反する要因があり、管理には細心の注意が必要となる。これらは生産コストの大幅な増大につながる。
【０００６】
【特許文献１】特許公開２００３−２９２９３２号
【発明の開示】
【発明が解決しようとする課題】
【０００７】
本願発明は上記従来の問題点に鑑みなされたものであり、そのような高コストに結びつく高度な技術、管理を必要とせず、従来技術を改善することにより、例えば塗布後に漸次消色する糊など、塗布後に時間の経過にしたがって状態が変化する塗膜を転写することのできる塗膜転写具を提供することをその課題とする。
【課題を解決するための手段】
【０００８】
上記課題を解決するために、本願発明の塗膜転写具においては、ケース内に、それぞれ供給リールと巻取りリールと転写ヘッドからなる第1テープ供給機構と第２テープ供給機構とを設ける。第１転写ヘッドは長手方向先端がケースから突出された状態でケース内に取付けられる。第2転写ヘッドの少なくとも先端部が第1転写ヘッドに対して、第1テープが第1供給リールから第1転写ヘッドへと移動する側の所定の位置で近接するように配置されて、該所定の位置において第1と第2のテープとが互いに接触する。第2の塗膜は第1の塗膜に比して、そのテープの基材から剥がれ易くなっていて、第１と第２の塗膜が接触したときに第２の塗膜が第１の塗膜上へ移乗されて互いに重ねられる。第1テープに塗布された塗膜は、互いに混じり合った後、時間の経過に従って塗膜の状態を変化させる第1の成分と第2の成分のいずれか一方を含有する糊、第2テープに塗布された塗膜は他方を含有している糊である。この構成により、互いに重ねられた２つの塗膜が紙などに転写される際にヘッドによって押付けられて混じり合い、第１と第２の成分が混じり合って、時間の経過に伴って塗膜の状態が変化する。
第１と第２の成分としては、着色剤として機能するｐＨ指示薬と消色剤として機能するｐＨ調整剤、或いは互いに混じり合うことにより発色し、空気にふれて時間が経過するに伴って消色するアルカリ性溶液とｐＨ指示薬である。
【０００９】
ある実施の形態では、第１供給リールと第２供給リールとは個別に回転するように構成される。第１巻取りリールは第１供給リールに、第２巻取りリールは第２供給リールにそれぞれ連動して回転される。
【００１０】
さらに、ある実施の形態では、第１供給リールと第２供給リールとは一体的に回転するように構成される。
【００１１】
さらに、ある実施の形態では、第１供給リールと第２供給リールとは一体的に回転するとともに、第１巻取りリールと第２巻取りリールとが一体的に回転するように構成される。
【発明の効果】
【００１２】
上記の通り、本願発明では、第１テープ供給機構と第２テープ供給機構を備えて、第２転写ヘッドの先端部を第１転写ヘッドに近接して配置し、第１テープと第２テープが互いに接触するようにし、第２テープ上の塗膜を第１テープ上の塗膜に移乗し、２層になった塗膜を使用時に形成することができる。したがって従来の技術を利用し、安価かつ製造が容易な、塗布された塗膜の状態が、塗布後の時間の経過に従って変化する塗膜転写具を提供することができる。
【発明を実施するための最良の形態】
【００１３】
以下図面を参照しながら本願発明の好適な実施の形態について説明する。図１は本願発明の実施の形態に係る塗膜転写具１を示す平面断面図、図２はその側面断面図、図３は第１及び第２転写ヘッド先端部平面断面の拡大図である。
【００１４】
図において符号１は塗膜転写具であり、ケース２を備えている。このケース２はケース本体３とヘッドカバー８で構成される。ケース本体３は、図１において上側に配置される本体上５と、下側に配置される本体下６とで構成されている。
【００１５】
ケース２内部には、該ケース２内部を図１において上側の上部室９ａと下側の下部室９ｂとに仕切る仕切板７が設けられている。仕切板７は、図２においてケース本体３の内周に沿って形取られ、一部がヘッドカバー８内へ突出している。仕切板７は図２において上下方向で略中央線上の位置で左右方向で一定の間隔で、図１において上面側から上方向に垂直に伸びる２本のシャフト７ａ、７ｂと、下面の同じ位置で下方向に伸びる２本のシャフト７ｃ、７ｄを備えている。
【００１６】
本体上５内面のシャフト７ａ、７ｂに対応する位置に、短い筒状の突起からなるシャフト受け５ａ、５ｂが設けられ、このシャフト受け５ａ、５ｂの中に、シャフト７ａ、７ｂの先端が嵌っている。一方本体下６内面も同様に、シャフト７ｃ、７ｄに対応する位置に、短い筒状の突起からなるシャフト受け６ａ、６ｂが設けられ、このシャフト受け６ａ、６ｂの中に、シャフト７ｃ、７ｄの先端が嵌っている。これにより、仕切板７がケース２内で位置決め、固定されている。
【００１７】
次に第１テープ供給機構１０について説明する。第１テープ供給機構１０は下部室９ｂの内部に設けられ、この第１テープ供給機構１０は第１供給リール１１と第１転写ヘッド１２と第１巻取りリール１３とで構成され、後述するように第１テープ１９を移動させる。
【００１８】
符号１１は、第１供給リールであり、円筒形で、軸穴を設けた筒状部１１ａと、その上端部において外方へ広がる円板状の円板部１１ｂとが、一体で構成される。円板部１１ｂの外周縁には歯型が形成され、第１駆動ギヤ１１ｄとなっている。筒状部１１ａの下部先端の外周壁上に、円周方向に伸びる円弧状断面の突条部１１ｃが設けられている。これについてはさらに後述する。第１供給リール１１はその筒状部１１ａが仕切板７のシャフト７ｃに嵌り、回転可能となっている。
【００１９】
符号１２は第１転写ヘッドであり、この第１転写ヘッド１２は従来の塗膜転写具で使用されている転写ヘッドと同様のものが使用可能である。尚、図には、その上下面に沿ってテープが移動するヘッド本体部１２ｂの前方部分のみが示されている。第１転写ヘッド１２は図示していないが、適宜手段によりケース２に取り付け、固定されている。ヘッドの先端部１２ａはケース２から所定の長さだけ、突出している。
【００２０】
符号１３は、第１巻取りリールであり、円筒形で、中空軸となる筒状部１３ａと、その上端部において外側に広がる円板状の円板部１３ｂとが、一体で構成される。第１巻取りリール１３は筒状部１３ａの下端部が、本体下６の内面に設けられたシャフト受け６ｂの外周に嵌り、回転可能となっている。円板部１３ｂの外周縁には歯型が形成され、第１被動ギヤ１３ｃとなっている。第１被動ギヤ１３ｃと前記第１駆動ギヤ１１ｄとの噛合いにより、第１巻取りリール１３と第１供給リール１１は連動して回転する。
【００２１】
第１テープ１９は一端において、第１テープ芯１４に取り付けて巻き付けられており、他端は第１巻取りリール１３の筒状部１３ａに取り付けられている。第１テープ芯１４は軸方向略中央で、前述の第１供給リール１１の筒状部１１ａに設けられた、円弧状断面の突条部１１ｃの外周上に、きつめに嵌っている。これにより第１テープ芯１４と第１供給リール１１とは、通常は一体に回転するようになっているが、第１供給リール１１に抵抗が掛かると両者はスリップするようになっている。また、第１テープ芯１４の下端部が、本体下６の内面に設けられたシャフト受け６ａの外周にゆるく嵌っている。
【００２２】
第１テープ供給機構１０における、第１テープ１９の経路は以下となる。第１テープ１９は、第１供給リール１１より、仕切板７に第１供給リール１１と第１転写ヘッド１２との間で挿通して固定された第１テープガイドシャフト７ｅでガイドされて、第１転写ヘッド１２の先端部１２ａへと伸びている。第１転写ヘッド１２の先端部１２ａは、第１テープガイドシャフト７ｅに対して垂直方向に構成されている。従って、第１テープ送りシャフト７ｅから第１転写ヘッド１２の先端部１２ａとの間で、第１テープ１９は約９０°捩じられて送られる。第１転写ヘッド１２の先端部１２ａを回って第１テープ１９は、さらに仕切板７に図２において第１テープガイドシャフト７ｅより左側下方で挿通して固定された、第２テープガイドシャフト７ｆでガイドされて、第１供給リール１１上で巻かれている第１テープ１９の外周上をたどって第１巻取りリール１３へと伸びている。第２テープガイドシャフト７ｆは、第１転写ヘッド１２の先端部１２ａに対して垂直方向に構成されている。従って、第１転写ヘッド１２の先端部１２ａから、第１テープガイドシャフト７ｅとの間で、第１テープ１９は約９０°捩じられて送られる。これにより、第１テープ１９は第１供給リール１１より送られた際と、同じ向きに戻される。
【００２３】
次に第２テープ供給機構２０について説明する。第２テープ供給機構２０は上部室９ａの内部に設けられ、この第２テープ供給機構２０は第２供給リール２１と第２転写ヘッド２２と第２巻取りリール２３とで構成され、後述するように第２テープ２９を移動させる。尚、後述するように、第２テープ供給機構での構成は、その第２転写ヘッド２２を除いて、第１テープ供給機構の構成とほぼ同じである。
【００２４】
符号２１は、第２供給リールであり、円筒形で、軸穴を設けた筒状部２１ａと、その下端部において外方へ広がる円板状の円板部２１ｂとが、一体で構成される。円板部２１ｂの外周縁には歯型が形成され、第２駆動ギヤ２１ｄとなっている。筒状部２１ａの上部先端の外周壁上に、円周方向に伸びる円弧状断面の突条部２１ｃが設けられている。これについてはさらに後述する。第２供給リール２１はその筒状部２１ａが仕切板７のシャフト７ａに嵌り、回転可能となっている。
【００２５】
符号２２は第２転写ヘッドであり、この第２転写ヘッド２２は従来の塗膜転写具で使用されている転写ヘッドと同様のものが使用可能である。尚、図には、その上下面に沿ってテープが移動するヘッド本体部２２ｂの前方部分のみが示されている。第２転写ヘッド２２はケース２内に配置され、図１において第１ヘッド１２の上方でその先端部２２ａが左下がりになるように配置され、図示していないが、適宜手段によりケース２に取り付け、固定されている。
【００２６】
符号２３は、第２巻取りリールであり、円筒形で、中空軸となる筒状部２３ａと、その上端部において外側に広がる円板状の円板部２３ｂとが、一体で構成される。第２巻取りリール２３は筒状部２３ａの上端部が、本体上５の内面に設けられたシャフト受け５ｂの外周に嵌り、回転可能となっている。円板部２３ｂの外周縁には歯型が形成され、第２被動ギヤ２３ｃとなっている。第２被動ギヤ２３ｃと前記第２駆動ギヤ２１ｄとの噛合いにより、第２巻取りリール２３と第２供給リール２１は連動して回転する。
【００２７】
第２テープ２９は一端において、第２テープ芯２４に取り付けて巻き付けられており、他端は第２巻取りリール２３の筒状部２３ａに取り付けられている。第２テープ芯２４は軸方向略中央で、前述の第２供給リール２１の筒状部２１ａに設けられた、円弧状断面の突条部２１ｃの外周上に、きつめに嵌っている。これにより第２テープ芯２４と第２供給リール２１とは、通常は一体に回転するようになっているが、第２供給リール２１に抵抗が掛かると両者はスリップするようになっている。また、第２テープ芯２４の上端部が、本体上５の内面に設けられたシャフト受け５ａの外周にゆるく嵌っている。
【００２８】
第２テープ供給機構２０における、第２テープ２９の経路は以下となる。第２テープ２９は、第２供給リール２１より、仕切板７の第１テープガイドシャフト７ｅでガイドされて、第２転写ヘッド２２の先端部２２ａへと伸びている。第２転写ヘッド２２の先端部２２ａは、第２テープガイドシャフト２７に対して垂直方向に構成されている。従って、第１テープガイドシャフト７ｅから、第２転写ヘッド２２の先端部２２ａとの間で、第２テープ２９は約９０°捩じられて送られる。第２転写ヘッド２２の先端部２２ａを回って第２テープ２９は、さらに第２テープガイドシャフト７ｆでガイドされて、第２供給リール２２上で巻かれている第２テープ２９の外周上をたどって第２巻取りリール２３へと伸びている。第２テープガイドシャフト７ｆは、第２転写ヘッド２２の先端部２２ａに対して垂直方向に構成されている。従って、第２転写ヘッド２２の先端部２２ａから、第２テープガイドシャフト７ｆとの間で、第２テープ２９は約９０°に捩じられて送られる。これにより、第２テープ２９は第２供給リール２１より送られた際と、同じ向きに戻される。
【００２９】
図３は第１、第２転写ヘッド１２、２２の先端部１２ａ、２２ａの平面拡大断面図であり、この塗膜転写具１で塗膜を紙面５０上に転写している状態を示している。前述の如く、第１転写ヘッド１２は、その先端がケースから突出した状態で配置されている。第１テープ基材１９ｂ上に第１塗膜１９ａが塗付された第１テープ１９は、塗膜側を外側にした状態で図中矢印方向に伸びている。尚、この第１塗膜１９ａは本実施の形態では、着色剤としてｐＨ指示薬を含んだ糊である。第２塗膜ヘッド２２は図に示される如く、その先端部２２ａが左下がりとなるように第１転写ヘッド１２の上側に配置されている。第２テープ基材２９ｂ上に第２塗膜２９ａが塗付された第２テープ２９は、塗膜側を外側にした状態で図中矢印方向に伸びている。尚、この第２塗膜２９ａは本実施の形態では、第１塗膜１９ａの着色剤に作用して、これを有色から無色に変化させるｐＨ調整剤を含んだ糊である。
【００３０】
第２転写ヘッド２２の先端は、第１転写ヘッド１２の長さ方向の所定の位置で第１転写ヘッド１２にきわめて近接しており、位置Ｐ１において、第１、第２テープ基材１９ｂ、２９ｂ上の第１、第２塗膜１９ａ、２９ａが互いに接触するようになっている。ここで、テープ基材と塗膜の間の剥離材を調整することにより、第１テープ基材１９ｂ上の第１塗膜１９ａよりも、第２テープ基材２９ｂ上の第２塗膜２９ａは剥がれやすくなっている。従って、第１テープ１９が矢印Ｗ方向に送られると、第１、第２塗膜１９ａ、２９ａ間の摩擦力あるいは粘着力により第２テープ２９も矢印方向に移動すると同時に、位置Ｐ１において第２テープ基材２９ｂ上の第２塗膜２９ａが剥がれ、第１テープ１９基材１９ｂ上の第１塗膜１９ａ面に移乗される。これにより、第１テープ１９上に第１塗膜１９ａと第２塗膜２９ａが２層に重なった塗膜が形成される。
【００３１】
紙面５０上に第１転写ヘッド１２の先端部１２ａを位置Ｐ２で押し付けて矢印Ｗ方向に移動させると、第１テープ１９は第１供給リール１１から引き出されて送られると同時に、第１テープ基材１９ｂ上の２層に重なった塗膜が紙面５０上に転写される。このとき、第１転写ヘッド１２の先端部１２ａの、押し当てる圧力により、２層に重なった塗膜が押しつぶされ、その内容物が混ぜ合わされる。転写した当初はその塗膜は第１塗膜１９ａの着色剤による色を備えた塗膜となっているが、時間の経過と共にｐＨ指示薬とｐＨ調整剤との反応によりその色が消えるようになっている。したがって、塗膜の塗布の際には、ｐＨ指示薬の着色によりどこに転写されたのかが判りやすくなり、時間の経過によりその色が消え、塗膜の存在が視認されず見映えがよくなる。
【００３２】
上記の実施の形態では、第１テープ塗膜１９ａに着色剤としてｐＨ指示薬を含んだ糊、第２テープ塗膜２９ａにｐＨ調整材を含んだ糊とした。他の実施の形態では、これとは逆に、第１テープ塗膜１９ａをｐＨ調整材を含んだ糊、第２テープ２９ａを着色剤としてｐＨ指示薬を含んだ糊とすることができる。尚、着色剤、消色剤としては前述のｐＨ指示薬とｐＨ調整剤には限定されず、例えば、混ざり合い発色した後、空気と接触することによって消色するアルカリ性溶液とｐＨ指示薬などを用いることが可能である。
【００３３】
なお、前述の実施の形態では、第１供給リール１１と第２供給リール２１とは別々に回転するようになっているが、両者を同時に回転させるようにしてもよい。例えば、仕切板７に設けられた上下のシャフト７ａ、７ｃを、仕切板７を貫通し、回転可能な１本のシャフトとして構成し、このシャフトに第１、第２供給リール１１、２１のそれぞれの筒状部１１ａ、２１ａを圧入して両リールが一体回転するようにすることができる。但し、この方法に限定はされない。これにより第２テープ２９が第１テープ１９との接触により第２供給リール２１から引き出される際の抵抗がきわめて小さくなり、第２テープ２９が第１テープ１９と同量だけ確実に引き出されるようになる。
【００３４】
さらに第１巻取りリール１３と第２巻取りリール２３とを一体回転するように構成してもよい。例えば、仕切板７に設けられた上下のシャフト７ｂ、７ｄを、仕切板７を貫通し、回転可能な１本のシャフトとして構成し、このシャフトに第１、第２巻取りリール１３、２３のそれぞれの筒状部１３ａ、２３ａを圧入して両リールが一体回転するようにすることができる。但し、この方法に限定はされない。これにより第２供給リール２１と第２巻取りリール２３とを連動させる必要がなくなり、第２駆動ギヤ２１ｄ、第２被動ギヤ２３ｃを省略でき、第２供給リール２１と第２巻取りリール２３とを簡単な構成とすることができる。
【００３５】
さらに他の実施の形態では仕切板７をなくし、第１供給リール１１と第２供給リール２１を一体化し、第１巻取りリール１３と第２巻取りリール２３を一体化することも可能である。
【図面の簡単な説明】
【００３６】
【図１】本発明の実施の形態に係る塗膜転写具の平面断面図である。
【図２】図１の側面断面図である。
【図３】第１、第２転写ヘッドの先端部の平面拡大断面図である。
【符号の説明】
【００３７】
１        塗膜転写具
２        ケース
５        本体上
６        本体下
７        仕切板
８        ヘッドカバー
１０      第１テープ供給機構
１１      第１供給リール
１１ｄ    第１駆動ギヤ
１２      第１転写ヘッド
１３      第１巻取りリール
１３ｃ    第１被動ギヤ
１９      第１テープ
２０      第２テープ供給機構
２１      第２供給リール
２１ｄ    第２駆動ギヤ
２２      第２転写ヘッド
２３      第２巻取りリール
２３ｃ    第２被動ギヤ
２９      第２テープ
【図１】
0004221284.tif 000002
【図２】
0004221284.tif 000003
【図３】
0004221284.tif 000004